(57)【要約】      （修正有）【課題】窓ガラスへの装着作業が容易であり、風雨に曝されても窓ガラスの保護性能（機械的強度）を維持できるとともに、製造コストや廃棄コストも低減可能な窓ガラス保護材を提供する。【解決手段】窓ガラス保護材１０は、窓枠に設けられた窓ガラスを保護するために使用されるものであって、紙製基材１１と、当該紙製基材１１の少なくとも一面に防水シート１２とが積層されて構成される。【選択図】図１
0003229646.tif 000002
【実用新案登録請求の範囲】
【請求項１】
窓枠に設けられた窓ガラスを保護するために窓ガラス保護材であって、
紙製基材１１と、
当該紙製基材１１の少なくとも一面に防水シート１２とが積層されてなる窓ガラス保護材。
【請求項２】
更に、窓枠の縦枠に挟持させるための端部シート１３を、両横端部に備えることを特徴とする請求項１に記載の窓ガラス保護材。
【請求項３】
更に、窓ガラスと窓ガラス保護材を締め付けるためのベルト部１４、及び当該ベルト部１４の端部同士を結合させる結合部１５を備えることを特徴とする請求項１又は２に記載の窓ガラス保護材。
【請求項４】
前記紙製基材１１が、クラフト紙、晒クラフト紙および段ボール紙からなる群から選択される少なくとも１種類であることを特徴とする請求項１〜３のいづれか一項に記載の窓ガラス保護材。
【請求項５】
防水シート１２が、気泡緩衝材シートであることを特徴とする請求項１〜４のいづれか一項に記載の窓ガラス保護材。
【考案の詳細な説明】
【技術分野】
【０００１】
本考案は、窓保護材に関し、より具体的には、優位な防災効果及び減災効果、並びに各コスト性も良好な窓ガラス保護材に関する。
【背景技術】
【０００２】
近年、異常気象が頻発しており、特に、アジア地域では台風、米国ではハリケーンの風速が大きく、甚大な被害を及ぼす傾向にある。
【０００３】
特に、窓（窓ガラス）は、建造物の外側の中でも、最も機械的強度に劣る部分であり、直接、強風により或いは強風により飛散した物により間接的に、破損することがある。
【０００４】
このような被害を防止するため、たとえば、窓ガラスに、養生テープなどを「米」の字状に貼り付けたり、段ボール等を養生テープで貼り付けたり、或いは、窓ガラス前面に飛散防止フィルムをその粘着面で貼りつけたりするなどの対応が採られている。
【０００５】
たとえば、特許文献１では、「衝撃が付与された際にガラスから剥離し難く、かつ、曲面ガラスへの追従性及びリワーク性に優れる粘着剤層を形成できるガラス飛散防止フィルム用粘着剤組成物、並びにガラス飛散防止フィルム」が開示されている。
【先行技術文献】
【特許文献】
【０００６】
【特許文献１】特開２０２０−１３２７８８号公報
【考案の概要】
【考案が解決しようとする課題】
【０００７】
しかしながら、養生テープや飛散防止フィルムを張り付けたとしても、窓ガラスに必ずしも強度を向上させる効果があるわけではなく、窓ガラスが破壊された際に、ガラス片の飛散を低減する効果に留まるのが現状である。
【０００８】
また、養生テープや飛散防止フィルムを張り付ける作業は、手間と時間がかかる。特に、一般家庭では、そのような作業は不慣れなこともあり、作業時間が大幅に割かれ、その他の避難準備や災害対策が不十分になるおそれもある。
【０００９】
段ボールなどを養生テープで貼り付ける対応では、ダンボールが窓ガラスの外側に積層されるため、強度（特に、耐衝撃性）の向上は期待できるものの、同様に、作業に手間と時間がかかる。また、風雨により段ボールが一旦濡れてしまうと、強度の向上は期待できないという課題もある。
【００１０】
このような従来の問題点を鑑み、本考案者は、段ボール紙とその少なくとも外側面に防水性シートを積層させるなどの構成を採ることで、従来の問題を解決できることを見出した。
【００１１】
すなわち、本考案は、窓ガラスへの装着作業が容易であり、風雨に曝されても窓ガラスの保護性能（機械的強度）を維持できるとともに、製造コストや廃棄コストも低減可能な窓ガラス保護材を提供することを目的とする。
【課題を解決するための手段】
【００１２】
本考案に係る窓ガラス保護材は、窓枠に設けられた窓ガラスを保護するために使用され、紙製基材１１と、当該紙製基材１１の少なくとも一面に防水シート１２とが積層されてなることを特徴とする。
【００１３】
本考案の窓ガラス保護材においては、更に、窓枠の縦枠に挟持させるための端部シート１３を、両横端部に備えることが好ましい。
【００１４】
本考案の窓ガラス保護材においては、更に、窓ガラスと窓ガラス保護材を締め付けるためのベルト部１４、及び当該ベルト部１４の端部同士を結合させる結合部１５を備えることが好ましい。
【００１５】
本考案の窓ガラス保護材においては、前記紙製基材１１が、クラフト紙、晒クラフト紙および段ボール紙からなる群から選択される少なくとも１種類であることが好ましい。
【００１６】
本考案の窓ガラス保護材においては、防水シート１２が、気泡緩衝材シートであることが好ましい。
【考案の効果】
【００１７】
本考案に係る窓ガラス保護材によれば、窓ガラスへの装着作業が容易であり、風雨に曝されても窓ガラスの保護性能（機械的強度）を維持できるという、優位な防災効果を発揮することができ、仮に当該ガラスが破壊されてもガラス片の飛散を効果的に防ぐという減災効果も高い。さらには、製造コストや廃棄コストも低減できるという点で、経済的な効果も高い。
【図面の簡単な説明】
【００１８】
【図１】図１（Ａ）および（Ｂ）は、それぞれ、本考案に係る窓ガラス保護材の防水シート１２側の平面図と、紙製基材側１１の平面図である。また、図１（Ｃ）および（Ｄ）は、本考案に係る窓ガラス保護材の断面図である。
【００１９】
【図２】図２は、本考案に係る窓ガラス保護材を、窓ガラス面に適用した状態を示す上面断面図である。
【００２０】
【図３】図３（Ａ）および（Ｂ）は、それぞれ、本考案に係る窓ガラス保護材のうち、端部シート１３を有する態様を示すための正面図および当該正面図のＡＢ断面図である。
【００２１】
【図４】図４は、それぞれ、本考案に係る窓ガラス保護材のうち、ベルト部１４および結合部１５を備える態様を示すための図である。
【考案を実施するための形態】
【００２２】
以下、本考案に係る窓ガラス保護材について、適宜図面を参照しながら説明する。
【００２３】
図１の付番１０は、本考案に係る窓ガラス保護材の一態様を示す。かかる窓ガラス保護材は、図１に示されるように、紙製基材１１と防水シート１２との２層構造になっているが、後述するように、その他の層を有していてもよい。
【００２４】
ここで、紙製基材１１としては、紙製の基材であり、かつ、ある程度の強度（機械的強度）や望ましくは耐水性を有するものであれば特に限定されるものではない。たとえば、クラフト紙、晒クラフト紙および段ボール紙などが挙げられ、これらは単独でも複数組み合わせて使用してもよい。
【００２５】
中でも、紙製基材１１が段ボール紙であれば、低コストかつ十分な機械的強度が期待できる観点から好ましい。
【００２６】
また、紙製基材が段ボール紙である場合、段ボールの「中しん」（波形ボール板、メディアム）中の波に対して平行な方向（すなわち、波を横切る方向ではなく、波の長尺方向に沿った方向）であれば、折り曲げが容易である。そのため、図２に示されるように、窓ガラスＷとともに、窓枠の中央部に位置するクレセントＣなどの突起部分にも容易に追従しつつ、窓ガラスを保護することが可能となる。このように、本考案に係る窓ガラス保護材を窓ガラスに密着した状態で適用することで、突風が吹いても保護材がガラスから外れることを低減できる。
【００２７】
なお、段ボール紙は、ライナと呼ばれる段ボール原紙（表ライナおよび裏ライナ）と、波形に成型された「中しん」（波形ボール板、メディアム）を糊で貼り合わせたものであり、本考案においては、一般的に流通している段ボールを使用することができる。
【００２８】
ライナの種類としては、Ｃ５&#12316;Ｃ６、Ｋ５&#12316;Ｋ７のいづれであってもよい。本考案に係るガラス保護材に高い機械的強度を求めるのであれば、Ｋ７、Ｋ６、Ｋ５、Ｃ６、Ｃ５の順に好ましい。対して、低コスト性を考慮するならば、Ｃ５、Ｃ６、Ｋ５、Ｋ６、Ｋ７の順に好ましい。
【００２９】
波形ボール板の種類も、特に限定されず、ＪＩＳ  Ｚ  １５１６で規定するＡフルート、Ｂフルート、Ｃフルート、Ｅフルート、Ｗフルートのいづれであってもよい。
【００３０】
なお、紙製基材１１の厚みも特に限定されるものではなく、必要とする強度などを考慮して適宜選択することができる。たとえば、紙製基材（例：段ボール紙）の厚みは、１ｍｍ〜８ｍｍが一般的である。
【００３１】
図１（Ａ）〜（Ｃ）に示されるように、本考案に係る窓ガラス保護材は、少なくとも、紙製基材１１と防水シート１２とを必須構成要件として備えており、図１（Ｃ）に示されるように、紙製基材の少なくとも一面に防水シートとが積層されてなることを特徴とする。ここで、紙製基材は窓ガラス側に直接接して窓ガラスを保護する部材である一方、防水シート１２は外側すなわち風雨に曝される側（窓ガラス側とは反対側）に向けられる部材である。この防水シート１２の存在により、紙製基材１１が雨に濡れることによる強度の低下を防ぐことができる。
【００３２】
ここで、図１（Ｃ）に示されるように、紙製基材の片側のみに防水シートが積層されていてもよい。一方で、図１（Ｄ）に示されるように、本考案に係る窓ガラス保護材の防水性を向上させて、保護機能を向上させることができるという観点からは、防水シートが紙基材を包含している態様であってもよい。
【００３３】
また、本考案において「積層」とは、紙製基材の片面又は両面に、防水シートが、接着剤などの結合手段を介して貼着されていてもよいし、たとえば、図１（Ｄ）に示されるように、防水シートが紙基材を包含している態様である場合、袋状の防水シート内に紙製基材を入れて、当該袋状の防水シートの開口部を封止してなるものであってもよい。
【００３４】
なお、接着剤などを使用しない場合、廃棄時に、産業廃棄物ではなく普通ゴミとして取り扱われる。そのため、廃棄の手間や廃棄コストの低減が期待できる。
【００３５】
防水シート１２は、十分な防水性を期待できるシートであれば特に限定されない。たとえば、オレフィン系樹脂シート（ポリエチレン製シート、ポリプロピレン製シートなど）、アクリル樹脂シート、塩化ビニル樹脂シート、アミド系樹脂シート、ポリエステル系樹脂シートなどが挙げられる。なお、これらのシートには、必要に応じて、撥水処理など表面処理を施していてもよい。
【００３６】
廃棄時の取り扱い性や廃棄コスト、製造コストなどを考慮すると、オレフィン系樹脂シートが好ましい。
【００３７】
また、防水シートの厚みは、特に限定されないが、防水性や窓ガラスへの追従性など：考慮して適宜選択される。一般的には、数μｍ（例；５μｍ）〜数ｃｍ（例：１ｃｍ）程度である。
【００３８】
防水シートは、防水性とともに機械的強度（たとえば、風雨により飛来した物体が衝突したときの耐久性など）を考慮すると、気泡緩衝材シートが好ましい。気泡緩衝材シートとは、一般的に、ポリエチレンフィルムやポリプロピレンフィルムなどが２層積層されてなるものであり、その層の間に空気（エアー）を包含しているシートである。
【００３９】
たとえば、「エアーキャップ（登録商標）」（酒井化学工業株式会社製）、「プチプチ（登録商標）」（川上産業株式会社製）、「エアピロン（登録商標）」（川上産業株式会社製）、「ミナパック（登録商標）」（酒井化学工業株式会社製）、「キャプロン（登録商標）」（株式会社ジェイエスピー製）、「エコロガード」（もりや産業株式会社）、「エアセルマット」（株式会社和泉製）、「サンマット」（北海道サンプラス株式会社製）などが市販されている。
【００４０】
本考案の窓ガラス保護材においては、図３に示されるように、更に、窓枠の縦枠に挟持させるための端部シート１３を、両横端部に備えることが好ましい。このような構成を採ると、本考案に係る窓ガラス保護材を窓ガラスに容易に適用できる。
【００４１】
端部シート１３は、適用する窓の窓枠（縦枠）と窓との間に挟まれながら、本考案に係る窓保護材を窓に密着・固定することができる。そのため、端部シート１３は、ある程度、窓の窓枠と窓とに挟まれる際に、窓枠に追従するような柔軟性を有することが望ましい。
【００４２】
そのため、上記の柔軟性などを考慮して適宜選択されるものであるが、端部シート１３の厚さや材質としては、防水シートと同様な材質や厚さが挙げられる。当然、本考案に係る窓ガラス保護材においては、端部シート１３の材質や厚さは、防水シートのそれらと同一であってもよいし、異なっていてもよい。また、防水シートを、窓ガラス保護材の左右方向に延設された部分を端部シートとしてもよい。
【００４３】
また、図４に示されるように、本考案の窓ガラス保護材においては、更に、窓ガラスと窓ガラス保護材１０を締め付けるためのベルト部１４、及び当該ベルト部１４の端部同士を結合させる結合部１５を備えることが好ましい。このような構成を採ると、窓ガラス保護材を保護対象の窓ガラスに容易に適用することができる。結合部１５でベルト部１４を結合させる場合、結合部１５が屋内にある状態で結合させることが通常である。
【００４４】
なお、図示はしないが、本考案に係る窓ガラスの窓ガラスへの密着性の向上などを考慮して、必要に応じて、ベルト部１４を複数本使用してもよい。
【００４５】
ベルト部１４の材質としては、たとえば、ポリアミド系樹脂（ケブラー、ナイロンなど）、ゴムなどが挙げられる。
特に、窓ガラスと窓ガラス保護材１０を強固に締め付けることができる観点からは、ゴム製ベルトが好ましい。
【００４６】
結合部１５としては、当該ベルト部１４の端部同士を結合させる部材として公知の留め具を使用できる。たとえば、バックル（尾錠）、フックなどが挙げられる。
【００４７】
なお、本考案に係る取り付け作業の容易性の観点からは、上記結合部１５を有する態様が好ましいが、仮に、当該結合部１５がない態様であっても、ベルト部１４同士を縛ることでも窓ガラス保護材を窓ガラスに取り付けることができる。
【００４８】
特に台風やハリケーンなどの風害に対して、本考案の窓ガラス保護材の保護対象は、一般的な窓ガラスのみならず、店舗にある大型の窓ガラスや自動ドアも含まれる。
【００４９】
本考案に係る窓ガラス保護材を窓ガラスに適用した場合でも、飛来物の大きさや硬さ、飛来速度によっては、窓ガラスにヒビが入ったり、場合によっては割れたりすることもある。しかし、このような場合でも、窓ガラス保護材が保護対象である窓ガラスに適用されていると、ガラス破片の飛散を防ぐという減災効果も発揮できる。そして、窓ガラスの修理や交換作業までに、家屋内に風雨や飛来物が入ることを低減することができる。
【００５０】
さらには、特に避難所などでは、本考案の窓ガラス保護材を、被災者間の感染症拡大防止のため、あるいは被災者のプライバシー保護のために、衝立としても、あるいは避難所等の床面に敷設される床材としても機能する。
【産業上の利用可能性】
【００５１】
本考案によれば、窓ガラスへの装着作業が容易であり、風雨に曝されても窓ガラスの保護性能（機械的強度）を維持できるとともに、製造コストや廃棄コストも低減可能な窓ガラス保護材を提供することができる。そのため、特に防災産業の発達に寄与することができる。
【符号の説明】
【００５２】
１０：本考案に係る窓ガラス保護材
１１：紙製基材
１２：防水シート
１３：端部シート
１４：ベルト部
１５：結合部
Ｗ：窓ガラス（保護対象）
Ｃ：クレセント（縦框）
【図１】
0003229646.tif 000003
【図２】
0003229646.tif 000004
【図３】
0003229646.tif 000005
【図４】
0003229646.tif 000006